【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群より構成され、隣り合うレンズ群の間隔を変化させてズーミングを行うズームレンズにおいて、前記第１レンズ群は、材料のアッベ数をνｄ、ｇ線とＦ線に関する部分分散比をθｇＦとするとき、
０．０２＜θｇＦ−０．６４３８＋０．００１６８２×νｄ＜０．１
なる条件式を満足する正レンズを有することを特徴とするズームレンズ。
【請求項２】
前記正レンズの材料のアッベ数νｄは
νｄ＜２３
なる条件式を満足することを特徴とする請求項１に記載のズームレンズ。
【請求項３】
前記第２レンズ群は複数の正レンズを有し、該複数の正レンズの材料の屈折率の平均値をｎｄａｖｅとするとき、
ｎｄａｖｅ＞１．７５
なる条件式を満足することを特徴とする請求項１または２に記載のズームレンズ。
【請求項４】
前記第１レンズ群は、最も物体側に、物体側の面が凸でメニスカス形状の負レンズを有し、該負レンズの材料の屈折率をｎｄＧ１とするとき、
ｎｄＧ１＞１．８０
なる条件式を満足することを特徴とする請求項１乃至３のいずれか１項に記載のズームレンズ。
【請求項５】
前記第１レンズ群は、最も物体側に、物体側の面が凸でメニスカス形状の負レンズを有し、該負レンズの物体側の面の曲率半径をｒ１、前記第１レンズ群の焦点距離をｆ１とするとき、
−４＜ｒ１／ｆ１＜−１
なる条件式を満足することを特徴とする請求項１乃至４のいずれか１項に記載のズームレンズ。
【請求項６】
広角端から望遠端へのズーミングに際して、前記第１レンズ群は像側へ移動し、前記第２レンズ群は物体側へ移動し、前記第３レンズ群は物体側へ凸状の軌跡を描いて移動し、前記第４レンズ群は前記第２レンズ群と一体的に物体側へ移動し、前記第５レンズ群は物体側へ凸状の軌跡を描いて移動することを特徴とする請求項１乃至５のいずれか１項に記載のズームレンズ。
【請求項７】
請求項１乃至６のいずれか１項に記載のズームレンズと、該ズームレンズによって形成される像を受光する光電変換素子を有することを特徴とする撮像装置。
【手続補正２】
【補正対象書類名】明細書
【補正対象項目名】００１１
【補正方法】変更
【補正の内容】
【００１１】
本発明のズームレンズは、物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群より構成され、隣り合うレンズ群の間隔を変化させてズーミングを行うズームレンズにおいて、前記第１レンズ群は、材料のアッベ数をνｄ、ｇ線とＦ線に関する部分分散比をθｇＦとするとき、
０．０２＜θｇＦ−０．６４３８＋０．００１６８２×νｄ＜０．１
なる条件式を満足する正レンズを有することを特徴としている。
【手続補正３】
【補正対象書類名】明細書
【補正対象項目名】００１４
【補正方法】変更
【補正の内容】
【００１４】
以下に、本発明のズームレンズ及びそれを有する撮像装置の実施の形態を添付の図面に基づいて詳細に説明する。本発明のズームレンズは、物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群より構成されている。そして隣り合うレンズ群の間隔を変化させてズーミングを行っている。
【手続補正４】
【補正対象書類名】明細書
【補正対象項目名】００２０
【補正方法】変更
【補正の内容】
【００２０】
広角端から望遠端へのズーミングに際して第１レンズ群Ｌ１は像側へ移動し、第２レンズ群Ｌ２は物体側へ移動する。第３レンズ群Ｌ３は開口絞りＳＰ、Ｆｎｏ絞りＳＳＰと一体的に物体側に凸状の軌跡を描いて移動する。第４レンズ群Ｌ４は第２レンズ群Ｌ２と一体的に物体側へ移動する。第５レンズ群Ｌ５は物体側へ凸状の軌跡を描いて移動する。第６レンズ群Ｌ６はズーミング及びフォーカシングに際して不動である。無限遠物体から近距離物体へのフォーカスは第５レンズ群Ｌ５を像側へ移動させて行っている。第５レンズ群Ｌ５を光軸上移動させてフォーカシングを行うリヤーフォーカス式を採用している。
【手続補正５】
【補正対象書類名】明細書
【補正対象項目名】００２３
【補正方法】変更
【補正の内容】
【００２３】
各実施例のズームレンズにおいて、第１レンズ群Ｌ１と第２レンズ群Ｌ２は、広角端から望遠端のズーミングに際して、第１レンズ群Ｌ１と第２レンズ群Ｌ２の間隔が狭まるように移動する。そして第１レンズ群Ｌ１は材料のアッベ数をνｄ、ｇ線とＦ線に関する部分分散比をθｇＦとする。このとき、
０．０２＜θｇＦ−０．６４３８＋０．００１６８２×νｄ＜０．１  ・・・（１）
なる条件式を満足する正レンズを有している。
【手続補正６】
【補正対象書類名】明細書
【補正対象項目名】００２４
【補正方法】変更
【補正の内容】
【００２４】
なお、材料のアッベ数νｄとｇ線とＦ線に関する部分分散比θｇＦは、フラウンホーファー線のｄ線の屈折率をＮｄ、ｇ線の屈折率をＮｇ、Ｆ線の屈折率をＮＦ、Ｃ線の屈折率をＮＣとする。このとき、
νｄ＝（Ｎｄ−１）／（ＮＦ−ＮＣ）
θｇＦ＝（Ｎｇ−ＮＦ）／（ＮＦ−ＮＣ）
で定義される。
【手続補正７】
【補正対象書類名】明細書
【補正対象項目名】００２９
【補正方法】変更
【補正の内容】
【００２９】
各実施例において、更に好ましくは次の諸条件のうち１以上を満足するのが良い。第１レンズ群Ｌ１に含まれ、条件式（１）を満足する正レンズの材料のアッベ数をνｄとする。第２レンズ群Ｌ２は複数の正レンズを有し、複数の正レンズの材料の屈折率の平均値をｎｄａｖｅとする。第１レンズ群Ｌ１は、最も物体側に、物体側の面が凸でメニスカス形状の負レンズを有し、負レンズの材料の屈折率と、物体側のレンズ面の曲率半径を各々ｎｄＧ１、ｒ１とする。第１レンズ群Ｌ１の焦点距離をｆ１とする。
【手続補正８】
【補正対象書類名】明細書
【補正対象項目名】００３０
【補正方法】変更
【補正の内容】
【００３０】
このとき、
νｄ＜２３                ・・・（２）
ｎｄａｖｅ＞１．７５      ・・・（３）
ｎｄＧ１＞１．８０        ・・・（４）
−４＜ｒ１／ｆ１＜−１    ・・・（５）
なる条件式のうち１以上を満足するのが良い。条件式（２）は第１レンズ群Ｌ１内の正レンズにアッベ数の小さい高分散材料を使用し、色収差を補正するためのものである。
【手続補正９】
【補正対象書類名】明細書
【補正対象項目名】００３５
【補正方法】変更
【補正の内容】
【００３５】
条件式（４）、（５）を外れると、全ズーム範囲にわたり、像面湾曲を良好に補正するのが困難になる。更に好ましくは、条件式（４）、（５）を
ｎｄＧ１＞１．８５                  ・・・（４ａ）
−３．５＜ｒ１／ｆ１＜−１．５      ・・・（５ａ）
の如く設定するのが好ましい。
【手続補正１０】
【補正対象書類名】明細書
【補正対象項目名】００４３
【補正方法】変更
【補正の内容】
【００４３】
［数値実施例１］
単位 mm
面データ
面番号       r        d      nd         νd
1*       118.198    2.50   1.85400    40.4           
2         32.634   13.07                             
3       -163.403    2.30   1.77250    49.6           
4         81.290    0.55                             
5         70.200    4.08   1.92286    18.9           
6        152.179  (可変)                             
7        711.348    1.90   1.80518    25.4           
8         53.949    5.71   1.77250    49.6           
9       -165.565    0.15                             
10        100.780    3.80   1.83481    42.7           
11       -271.032    2.39                             
12         44.062    4.89   1.69680    55.5           
13        704.565  (可変)                             
14          ∞       1.92                             
15       -124.320    1.30   1.88300    40.8           
16         46.486    2.44                             
17        -87.213    1.30   1.72000    50.2           
18         41.011    4.26   1.80518    25.4           
19        -88.417    0.48                             
20(絞り)    ∞     (可変)                             
21        103.464    1.30   1.84666    23.9           
22         23.591    6.12   1.49700    81.5           
23        -82.833    1.20                             
24         34.667    4.40   1.61800    63.3           
25       -116.798  (可変)                             
26        347.196    3.07   1.80809    22.8           
27        -43.713    0.10                             
28        -51.755    1.20   1.83400    37.2           
29         27.958  (可変)                             
30         51.982    6.34   1.58313    59.4           
31*      -149.954  (可変)                             
像面        ∞   
非球面データ
第1面
K = 0.00000e+000  A 4= 1.12374e-006  A 6= 7.74070e-010  A 8=-1.85284e-012
A10= 1.79073e-015  A12=-6.28159e-019  
第31面
K = 0.00000e+000  A 4= 6.83372e-007  A 6=-1.01210e-008  A 8= 6.39805e-011
A10=-1.95942e-013  A12= 2.35213e-016  
各種データ
ズーム比      2.75 
広角     中間     望遠
焦点距離      24.70    35.70    68.00  
半画角（度）  41.21    31.21    17.65  
像高          21.64    21.64    21.64  
レンズ全長   201.98   185.29   168.85  
BF            41.71    41.71    41.71  
d 6           56.98    31.56     3.45  
d13            2.60     6.90    20.13  
d20           19.08    14.78     1.56  
d25            0.96     3.40    12.55  
d29            3.89    10.16    12.69  
d31           41.71    41.71    41.71  
ズームレンズ群データ
群  始面    焦点距離  
1    1     -36.10  
2    7      33.02  
3   14     -45.33  
4   21      43.61  
5   26     -40.27  
6   30      66.97
【手続補正１１】
【補正対象書類名】明細書
【補正対象項目名】００４４
【補正方法】変更
【補正の内容】
【００４４】
［数値実施例２］
単位 mm
面データ
面番号       r        d      nd         νd
1*       106.468    2.50   1.85400    40.4           
2         32.905   13.10                             
3       -149.850    2.30   1.77250    49.6           
4         83.237    0.86                             
5         80.026    3.89   1.92286    18.9           
6        184.393  (可変)                             
7       -472.687    1.90   1.80518    25.4           
8         60.248    5.52   1.77250    49.6           
9       -154.955    0.20                             
10        106.156    4.00   1.88300    40.8           
11       -183.624    0.15                             
12         42.726    4.78   1.72916    54.7           
13        330.022  (可変)                             
14          ∞       1.89                             
15       -156.023    1.30   1.88300    40.8           
16         45.965    2.48                             
17        -87.778    1.30   1.72000    50.2           
18         59.283    3.62   1.80809    22.8           
19        -94.325    0.49                             
20(絞り)    ∞     (可変)                             
21        112.332    1.30   1.84666    23.9           
22         22.167    6.49   1.49700    81.5           
23        -77.614    1.40                             
24         34.311    4.31   1.67790    55.3           
25       -147.476  (可変)                             
26        493.290    3.09   1.80809    22.8           
27        -41.809    0.05                             
28        -50.890    1.20   1.83400    37.2           
29         27.760  (可変)                             
30         54.178    6.56   1.58313    59.4           
31*      -119.504  (可変)                             
像面        ∞   
非球面データ
第1面
K = 0.00000e+000  A 4= 1.00056e-006  A 6= 1.05287e-009  A 8=-2.23584e-012
A10= 2.08279e-015  A12=-7.18763e-019  
第31面
K = 0.00000e+000  A 4= 1.03251e-007  A 6=-9.37908e-009  A 8= 6.31048e-011
A10=-1.95942e-013  A12= 2.35213e-016  
各種データ
ズーム比      2.75 
広角     中間     望遠
焦点距離      24.70    35.60    68.00  
半画角（度）  41.22    31.28    17.65  
像高          21.64    21.64    21.64  
レンズ全長   200.09   183.25   166.09  
BF            39.82    39.82    39.82  
d 6           56.43    31.37     3.21  
d13            4.16     8.56    22.48  
d20           19.90    15.51     1.58  
d25            0.96     3.12    11.38  
d29            4.13    10.19    12.93  
d31           39.82    39.82    39.82  
ズームレンズ群データ
群  始面    焦点距離  
1    1     -36.50  
2    7      32.58  
3   14     -45.11  
4   21      42.81  
5   26     -39.61  
6   30      64.83  
【手続補正１２】
【補正対象書類名】明細書
【補正対象項目名】００４５
【補正方法】変更
【補正の内容】
【００４５】
【表１】
2012083432.tif 000001